(57)【要約】【課題】特定色エンハンスの採用に際して特定色の画素が高階調であっても、表示画面全体の輝度低下の軽減が可能とすること。【解決手段】液晶駆動装置１００は、液晶コントローラ１０７と、特定色伸張処理回路１０５、１０６とを具備する。液晶コントローラ１０７は、表示データに応答して液晶表示パネル１２に供給される液晶駆動信号を生成する。特定色伸張処理回路１０５、１０６では、低輝度の特定色の画像入力信号から所定の係数３０４によって増強された階調の画像出力信号が生成され、高輝度の特定色の前記画像入力信号から小さな他の係数３０８によって増強した階調の画像出力信号が生成する。特定色伸張処理回路１０５、１０６によって適切に増強された画像出力信号は、表示データとして液晶コントローラ１０７に供給される。【選択図】図１
2009294338.tif 000002
【特許請求の範囲】
【請求項１】
液晶コントローラと、特定色伸張処理回路とを具備する液晶駆動装置であって、
前記液晶コントローラは、表示データに応答して液晶表示パネルに供給される液晶駆動信号を生成するものであり、
前記特定色伸張処理回路は、所定の色相を持ち低輝度の特定色の画像入力信号の入力階調から所定の係数によって増強された出力階調を持った画像出力信号を生成するものであり、
前記特定色伸張処理回路は、前記特定色の前記画像入力信号が高輝度の場合には、前記高輝度の前記画像入力信号を前記所定の係数よりも小さな他の係数によって増強した出力階調の画像出力信号を生成するものであり、前記特定色伸張処理回路によって生成される前記画像出力信号は、前記表示データとして前記液晶コントローラに供給されることを特徴とする液晶駆動装置。
【請求項２】
前記特定色伸張処理回路で、前記所定の係数と前記他の係数とは可変加重倍率に比例して決定され、前記可変加重倍率の値は前記特定色の前記画像入力信号に反比例して決定されることを特徴とする請求項１に記載の液晶駆動装置。
【請求項３】
前記特定色伸張処理回路は、特定色レジスタと、特定色輝度ヒストグラム計数回路とを含み、
前記レジスタには特定色識別情報が事前に格納され、前記特定色輝度ヒストグラム計数回路は前記レジスタに格納された前記特定色識別情報に従って前記特定色の前記画像入力信号の特定色輝度ヒストグラムを作成することを特徴とする請求項２に記載の液晶駆動装置。
【請求項４】
前記特定色伸張処理回路は、加重回路と、ベース・ヒストグラム計数回路と、加算器とを更に含み、
前記加重回路は前記可変加重倍率を利用して前記特定色輝度ヒストグラム計数回路が作成した前記特定色輝度ヒストグラムに対して加重計算を行い、前記加重回路の前記加重計算の結果は前記加算器の一方の入力端子に供給されるものであり、
前記ベース・ヒストグラム計数回路は供給される背景画像から前記背景画像のベース輝度ヒストグラムを作成して、前記ベース輝度ヒストグラムは前記加算器の他方の入力端子に供給されるものであり、
前記加算器の出力によって前記特定色伸張処理回路のガンマ補正特性が制御されることを特徴とする請求項３に記載の液晶駆動装置。
【請求項５】
前記液晶駆動装置は、バックライト処理回路と、バックライトコントローラとを更に具備して、
前記バックライトコントローラは、前記バックライト処理回路からのデータに応答してバックライトに供給されるバックライト駆動信号を生成するものであり、
前記液晶コントローラから前記液晶表示パネルに供給される画像データが低輝度の時には、前記バックライト処理回路は前記バックライトの発光輝度を低下する一方、前記特定色伸張処理回路は前記低輝度の前記画像データの階調を増強することによって前記液晶表示パネルのコントラストを改善するものであり、
前記バックライト処理回路は前記ベース・ヒストグラム計数回路が作成する前記ベース輝度ヒストグラムに基づき前記画像データの最大輝度値側から出現頻度が所定値となるスレッシュホールド階調レベルを生成して、
前記バックライト処理回路から生成される前記スレッシュホールド階調レベルは前記特定色伸張処理回路に供給され、前記スレッシュホールド階調レベルよりも低輝度の前記画像データの階調を前記特定色伸張処理回路は所定の伸張係数によって増強するものであり、
前記スレッシュホールド階調レベルよりも高輝度の前記画像データの階調を前記特定色伸張処理回路は、前記所定の伸張係数よりも小さな他の伸張係数によって増強することを特徴とする請求項４に記載の液晶駆動装置。
【請求項６】
前記バックライト処理回路は、第２加重回路と第２加算器と演算回路とを含み、
前記第２加重回路は第２可変加重倍率を利用して前記特定色輝度ヒストグラム計数回路が作成した前記特定色輝度ヒストグラムに対して第２加重計算を行い、前記第２加重回路の前記第２加重計算の結果は前記第２加算器の一方の入力端子に供給され、前記第２可変加重倍率の値は、前記特定色の前記画像入力信号に比例して決定されるものであり、
前記ベース・ヒストグラム計数回路から作成される前記ベース輝度ヒストグラムは、前記第２加算器の他方の入力端子に供給されるものであり、
前記演算回路は、前記第２加算器の出力に基づき前記スレッシュホールド階調レベルを生成することを特徴とする請求項５に記載の液晶駆動装置。
【請求項７】
前記前記液晶駆動装置は半導体集積回路のチップに集積化されていることを特徴とする請求項１から請求項６のいずれかに記載の液晶駆動装置。
【請求項８】
前記特定色伸張処理回路は、前記特定色の前記画像入力信号としての肌色の画像入力信号の階調を増強した画像出力信号を生成することを特徴とする請求項１から請求項６のいずれかに記載の液晶駆動装置。
【請求項９】
表示データ処理回路と、液晶コントローラと、バックライトデータ処理回路と、バックライトコントローラを具備する液晶駆動装置であって、
前記表示データ処理回路は前記液晶コントローラに供給される表示データを生成して、前記液晶コントローラは前記表示データに応答して液晶表示パネルに供給される液晶駆動信号を生成するものであり、
前記表示データ処理回路は、供給される背景画像から前記背景画像のベース輝度ヒストグラムを作成するベース・ヒストグラム計数回路を含み、
前記バックライトデータ処理回路は前記バックライトコントローラに供給されるバックライトデータを生成して、前記バックライトコントローラは前記バックライトデータに応答してバックライトに供給されるバックライト駆動信号を生成するものであり、
前記液晶コントローラから前記液晶表示パネルに供給される画像データが低輝度の時には、前記バックライト処理回路は前記バックライトの発光輝度を低下する一方、前記表示データ処理回路は前記低輝度の前記画像データの階調を増強することによって前記液晶表示パネルのコントラストを改善するものであり、
前記バックライト処理回路は前記ベース・ヒストグラム計数回路が作成する前記ベース輝度ヒストグラムに基づき前記画像データの最大輝度値側から出現頻度が所定値となるスレッシュホールド階調レベルを生成して、
前記バックライト処理回路から生成される前記スレッシュホールド階調レベルは前記表示データ処理回路に供給され、前記スレッシュホールド階調レベルよりも低輝度の前記画像データの階調を前記表示データ処理回路は所定の伸張係数によって増強するものであり、
前記スレッシュホールド階調レベルよりも高輝度の前記画像データの階調を前記表示データ処理回路は、前記所定の伸張係数よりも小さな他の伸張係数によって増強することを特徴とする液晶駆動装置。
【請求項１０】
前記表示データ処理回路は、所定の色相を持ち低輝度の特定色の画像入力信号の入力階調から所定の係数によって増強された出力階調を持った画像出力信号を生成する特定色伸張処理回路を含み、
前記特定色伸張処理回路は、前記特定色の前記画像入力信号が高輝度の場合には、前記高輝度の前記画像入力信号を前記所定の係数よりも小さな他の係数によって増強した出力階調の画像出力信号を生成するものであり、
前記特定色伸張処理回路によって生成される前記画像出力信号は、前記表示データとして前記液晶コントローラに供給されることを特徴とする請求項９に記載の液晶駆動装置。
【請求項１１】
前記前記液晶駆動装置は半導体集積回路のチップに集積化されていることを特徴とする請求項９から請求項１０のいずれかに記載の液晶駆動装置。
【発明の詳細な説明】
【技術分野】
【０００１】
本発明は、液晶駆動装置に関するもので、特に特定色エンハンスの採用に際して、特定色の画素が高階調であっても表示画面全体の輝度低下の軽減を可能とするのに有益な技術に関する。
【背景技術】
【０００２】
現在、携帯電話向けを中心として、モバイル向けの小型液晶ディスプレイ(ＬＣＤ)の需要が高まっている。携帯電話機には、５００万画素のディジタルスチルカメラ(ＤＳＣ)、ゲーム機器、テレビ電話、バーコードリーダと、電話以外の他の機能が搭載される多機能化の傾向となっている。中でもモバイル向け地上ディジタルテレビ放送(ワンセグ放送)が２００６年４月に開始され、携帯電話においてもＴＶの視聴の機能導入とともに、動画の高画質化および長時間の動画視聴への要求が増加している。
【０００３】
携帯電話等で使用される小型液晶ディスプレイでは消費電力の削減が重要であるため、光の透過率を制御可能な液晶画面をバックライトの光源によって後部から照射して、その透過光で前面に画像を表示している。液晶ディスプレイにおいて、その消費電力の大部分はバックライトで消費されるため、バックライトの消費電力を削減することが、液晶ディスプレイの低消費電力化に非常に有効である。
【０００４】
そのため、下記特許文献１には、液晶表示画面の透過率が増加するように画素データを調整して、その分、バックライトの発光光量を低下させて省電力化を実現することが記載されている。また、下記特許文献１には、一層の省電力化を実現するために、表示画像の階調のヒストグラムにおいて輝度データの最大値側からの出現頻度が所定の値となる輝度値が輝度データの最大値となるように画像データを伸張して、伸張の分、バックライトの発光光量を一層低減させることが記載されている。
【０００５】
一方、下記特許文献２には、液晶ディスプレイまたはプラズマディスプレイで肌色部分の画質を向上して画面のコントラストを改善するために、肌色部分の輝度レベルのヒストグラムを加重して、映像全体の輝度レベルのヒストグラムに加算することが記載されている。従って、肌色部分のγ(ガンマ)値が大きくなり、人目につき易い肌色部分が原信号よりも明るくなり、表示映像のコントラストが増強(エンハンス)される。
【０００６】
【特許文献１】特開平１１−６５５３１号  公報
【特許文献２】特開平７−３２２１７６号  公報
【発明の開示】
【発明が解決しようとする課題】
【０００７】
本発明者等は本発明に先立って、携帯電話に搭載される液晶ドライバ半導体集積回路の研究・開発に従事した。
【０００８】
この研究・開発の途中で、本発明者等は上記特許文献２に記載の肌色エンハンス技術に関して詳細に検討を行った。この肌色エンハンス技術によって肌色部分が原信号よりも明るくなり、表示映像のコントラストが増強されることができる。しかし、この肌色エンハンス技術を採用すると、肌色部分の輝度ヒストグラムの分布が高階調側である場合には、表示全体画面で輝度の低下が発生することが、本発明者等による検討によって明らかとされた。すなわち、人物の肌色が高輝度の映像では、肌色のコントラストは向上するが映像全体の輝度は低下するものとなる。その原因は、高階調の画素でコントラストを高くする分、低階調と中間階調との画素でコントラストが低くなることが、本発明者等による検討によって明らかとされた。
【０００９】
また、本発明者等は上記特許文献１に記載の輝度データの最大値側からの出現頻度が所定の値となる輝度値が輝度データの最大値となるように画像データを伸張して、バックライトの発光光量を一層低減させると言うバックライト省電力化技術に関しても詳細に検討を行った。しかし、このバックライト省電力化技術を採用すると、「白つぶれ(Whiteout)」が発生してしまうと言う問題も本発明者等による検討によって明らかとされた。この「白つぶれ」が発生すると、出現頻度が所定の値となる輝度値よりも高い階調の画素の模様が判別されなくなってしまう。
【００１０】
本発明は、以上のような本発明に先立った本発明者等の検討の結果、なされたものである。
【００１１】
従って、本発明の目的とするところは、特定色エンハンスの採用に際して特定色の画素が高階調であっても表示画面全体の輝度低下の軽減が可能な液晶駆動装置を提供することにある。
【００１２】
また、本発明の他の目的とするところは、画像データが暗い時にはバックライトの発光輝度を低下して低消費電力化する一方、エンハンス処理を行い暗い画像のコントラストを改善するに際して、画像データが比較的明るい時の「白つぶれ」の軽減が可能な液晶駆動装置を提供することにある。
【００１３】
本発明の前記ならびにその他の目的と新規な特徴は、本明細書の記述および添付図面から明らかになるであろう。
【課題を解決するための手段】
【００１４】
本願において開示される発明のうちの代表的なものについて簡単に説明すれば下記のとおりである。
【００１５】
すなわち、本発明の代表的な実施の形態による液晶駆動装置(１００)は、液晶コントローラ(１０７)と、特定色伸張処理回路(１０５、１０６)とを具備する(図１参照)。
【００１６】
前記液晶コントローラは、表示データに応答して液晶表示パネル(１２)に供給される液晶駆動信号を生成する。前記特定色伸張処理回路は低輝度の特定色の画像入力信号から所定の係数(３０４)により増強された階調の画像出力信号を生成して、高輝度の特定色の前記画像入力信号を小さな他の係数(３０８)により増強した階調の画像出力信号を生成する(図３(Ａ)、(Ｂ)参照)。前記特定色伸張処理回路によって生成される前記画像出力信号は、前記表示データとして前記液晶コントローラ(１０７)に供給される。
【発明の効果】
【００１７】
本願において開示される発明のうち代表的なものによって得られる効果を簡単に説明すれば下記の通りである。
【００１８】
すなわち、本発明によれば、特定色の画素が高階調であっても表示画面全体の輝度低下の軽減が可能な液晶駆動装置を提供することができる。
【発明を実施するための最良の形態】
【００１９】
《代表的な実施の形態》
先ず、本願において開示される発明の代表的な実施の形態について概要を説明する。代表的な実施の形態についての概要説明で括弧を付して参照する図面の参照符号はそれが付された構成要素の概念に含まれるものを例示するに過ぎない。
【００２０】
〔１〕本発明の代表的な実施の形態による液晶駆動装置(１００)は、液晶コントローラ(１０７)と、特定色伸張処理回路(１０５、１０６)とを具備する。
【００２１】
前記液晶コントローラは、表示データに応答して液晶表示パネル(１２)に供給される液晶駆動信号を生成するものである(図１参照)。
【００２２】
前記特定色伸張処理回路は、所定の色相を持ち低輝度の特定色の画像入力信号の入力階調から所定の係数(３０４)によって増強された出力階調を持った画像出力信号を生成するものである(図３(Ａ)参照)。
【００２３】
前記特定色伸張処理回路は、前記特定色の前記画像入力信号が高輝度の場合には、前記高輝度の前記画像入力信号を前記所定の係数(３０４)よりも小さな他の係数(３０８)によって増強した出力階調の画像出力信号を生成するものである(図３(Ｂ)参照)。
【００２４】
前記特定色伸張処理回路(１０５、１０６)によって生成される前記画像出力信号は、前記表示データとして前記液晶コントローラ(１０７)に供給されることを特徴とする。
【００２５】
前記実施の形態によれば、特定色の画像入力信号が増強されて液晶表示パネルに表示される一方、特定色の画像入力信号が高輝度である場合に増強係数が小さくされる。従って、従来のように、高輝度の特定色の画像入力信号を大きな増強係数によって増強することによって相対的に低輝度と中間輝度の特定色の画素の輝度が低下して表示画面全体の輝度が低下すると言う問題を解決することができる。
【００２６】
好適な実施の形態では、前記特定色伸張処理回路(１０５、１０６)で、前記所定の係数(３０４)と前記他の係数(３０８)とは可変加重倍率(Ｋ)に比例して決定され、前記可変加重倍率の値は前記特定色の前記画像入力信号に反比例して決定されることを特徴とする(図３(Ｃ)参照)。
【００２７】
より好適な実施の形態では、前記特定色伸張処理回路は、特定色レジスタ(１０８)と、特定色輝度ヒストグラム計数回路(１０２)とを含む。
【００２８】
前記レジスタには特定色識別情報が事前に格納され、前記特定色輝度ヒストグラム計数回路は前記レジスタに格納された前記特定色識別情報に従って前記特定色の前記画像入力信号の特定色輝度ヒストグラムを作成することを特徴とする。
【００２９】
更により好適な実施の形態では、前記特定色伸張処理回路は、加重回路(１０３)と、ベース・ヒストグラム計数回路(１０１)と、加算器(１０４)とを更に含む。
【００３０】
前記加重回路は前記可変加重倍率(Ｋ)を利用して前記特定色輝度ヒストグラム計数回路(１０２)が作成した前記特定色輝度ヒストグラムに対して加重計算を行い、前記加重回路の前記加重計算の結果は前記加算器の一方の入力端子に供給されるものである。
【００３１】
前記ベース・ヒストグラム計数回路は供給される背景画像から前記背景画像のベース輝度ヒストグラムを作成して、前記ベース輝度ヒストグラムは前記加算器の他方の入力端子に供給されるものである。
【００３２】
前記加算器の出力によって前記特定色伸張処理回路(１０５、１０６)のガンマ補正特性が制御されることを特徴とする。
【００３３】
具体的な一つの実施の形態による前記液晶駆動装置(１００)は、バックライト処理回路(４０１〜４０４)と、バックライトコントローラ(４０５)とを更に具備する。
【００３４】
前記バックライトコントローラは、前記バックライト処理回路からのデータに応答してバックライト(１３)に供給されるバックライト駆動信号を生成するものである。
【００３５】
前記液晶コントローラ(１０７)から前記液晶表示パネル(１２)に供給される画像データが低輝度の時には、前記バックライト処理回路は前記バックライト(１３)の発光輝度を低下する一方、前記特定色伸張処理回路(１０６、４０６)は前記低輝度の前記画像データの階調を増強することによって前記液晶表示パネル(１２)のコントラストを改善するものである(図４参照)。
【００３６】
前記バックライト処理回路(４０１〜４０４)は前記ベース・ヒストグラム計数回路が作成する前記ベース輝度ヒストグラムに基づき前記画像データの最大輝度値側から出現頻度が所定値(Ｘ％)となるスレッシュホールド階調レベル(Ｄth)を生成する。
【００３７】
前記バックライト処理回路から生成される前記スレッシュホールド階調レベルは前記特定色伸張処理回路(１０５、１０６)に供給され、前記スレッシュホールド階調レベルよりも低輝度の前記画像データの階調を前記特定色伸張処理回路は所定の伸張係数(α＞１)によって増強するものである。
【００３８】
前記スレッシュホールド階調レベルよりも高輝度の前記画像データの階調を前記特定色伸張処理回路は、前記所定の伸張係数よりも小さな他の伸張係数(α＜１)によって増強することを特徴とする(図７参照)。
【００３９】
具体的な他の一つの実施の形態では、前記バックライト処理回路は、第２加重回路(４０２)と第２加算器(４０３)と演算回路(４０４)とを含む。
【００４０】
前記第２加重回路は第２可変加重倍率(Ｌ)を利用して前記特定色輝度ヒストグラム計数回路(１０２)が作成した前記特定色輝度ヒストグラムに対して第２加重計算を行い、前記第２加重回路の前記第２加重計算の結果は前記第２加算器の一方の入力端子に供給される。前記第２可変加重倍率の値(Ｌ)は、前記特定色の前記画像入力信号に比例して決定されるものである(図５(Ｃ)参照)。
【００４１】
前記ベース・ヒストグラム計数回路(１０１)から作成される前記ベース輝度ヒストグラムは、前記第２加算器(４０３)の他方の入力端子に供給されるものである。
【００４２】
前記演算回路(４０４)は、前記第２加算器の出力に基づき前記スレッシュホールド階調レベル(Ｄth)を生成することを特徴とする(図４参照)。
【００４３】
最も具体的な一つの実施の形態では、前記前記液晶駆動装置(１００)は半導体集積回路のチップに集積化されていることを特徴とする。
【００４４】
他の最も具体的な一つの実施の形態では、前記特定色伸張処理回路は、前記特定色の前記画像入力信号としての肌色の画像入力信号の階調を増強した画像出力信号を生成することを特徴とする(図４参照)。
【００４５】
〔２〕本発明の別の観点の代表的な実施の形態による液晶駆動装置(１００)は、表示データ処理回路(１０６、４０６)と、液晶コントローラ(１０７)と、バックライトデータ処理回路(４０１〜４０４)と、バックライトコントローラ(４０５)を具備する。
【００４６】
前記表示データ処理回路(１０６、４０６)は前記液晶コントローラに供給される表示データを生成して、前記液晶コントローラは前記表示データに応答して液晶表示パネル(１２)に供給される液晶駆動信号を生成するものである。
【００４７】
前記表示データ処理回路は、供給される背景画像から前記背景画像のベース輝度ヒストグラムを作成するベース・ヒストグラム計数回路(１０１)を含む。
【００４８】
前記バックライトデータ処理回路は前記バックライトコントローラに供給されるバックライトデータを生成して、前記バックライトコントローラは前記バックライトデータに応答してバックライト(１３)に供給されるバックライト駆動信号を生成するものである。
【００４９】
前記液晶コントローラ(１０７)から前記液晶表示パネル(１２)に供給される画像データが低輝度の時には、前記バックライト処理回路は前記バックライト(１３)の発光輝度を低下する一方、前記表示データ処理回路(１０６、４０６)は前記低輝度の前記画像データの階調を増強することによって前記液晶表示パネル(１２)のコントラストを改善するものである(図４参照)。
【００５０】
前記バックライト処理回路(４０１〜４０４)は前記ベース・ヒストグラム計数回路が作成する前記ベース輝度ヒストグラムに基づき前記画像データの最大輝度値側から出現頻度が所定値(Ｘ％)となるスレッシュホールド階調レベル(Ｄth)を生成する。
【００５１】
前記バックライト処理回路から生成される前記スレッシュホールド階調レベルは前記表示データ処理回路(１０６、４０６)に供給され、前記スレッシュホールド階調レベルよりも低輝度の前記画像データの階調を前記表示データ処理回路は所定の伸張係数(α＞１)によって増強するものである。
【００５２】
前記スレッシュホールド階調レベルよりも高輝度の前記画像データの階調を前記表示データ処理回路は、前記所定の伸張係数よりも小さな他の伸張係数(α＜１)によって増強することを特徴とする(図７参照)。
【００５３】
前記実施の形態によれば、画像データが暗い時にはバックライトの発光輝度を低下して低消費電力化する一方、エンハンス処理を行い暗い画像のコントラストを改善するに際して、画像データが比較的明るい時の「白つぶれ」の軽減が可能となる。
【００５４】
好適な実施の形態では、前記表示データ処理回路(１０６、４０６)は、所定の色相を持ち低輝度の特定色の画像入力信号の入力階調から所定の係数(３０４)によって増強された出力階調を持った画像出力信号を生成する特定色伸張処理回路(１０２〜１０４)を含む。
【００５５】
前記特定色伸張処理回路は、前記特定色の前記画像入力信号が高輝度の場合には、前記高輝度の前記画像入力信号を前記所定の係数(３０４)よりも小さな他の係数(３０８)によって増強した出力階調の画像出力信号を生成するものである(図３(Ｂ)参照)。
【００５６】
前記特定色伸張処理回路(１０２〜１０４)によって生成される前記画像出力信号は、前記表示データとして前記液晶コントローラ(１０７)に供給されることを特徴とする。
【００５７】
より好適な実施の形態では、前記前記液晶駆動装置(１００)は半導体集積回路のチップに集積化されていることを特徴とする。
【００５８】
《実施の形態の説明》
次に、実施の形態について更に詳述する。尚、発明を実施するための最良の形態を説明するための全図において、前記の図と同一の機能を有する部品には同一の符号を付して、その繰り返しの説明は省略する。
【００５９】
《液晶表示装置の構成》
図１は、本発明の実施の形態による液晶ドライバ(表示装置駆動回路)１００の構成を示す図である。内部ブロック１０１〜１１２を含む液晶ドライバ１００に周辺装置１０〜１２が接続されることよって、液晶表示装置が構成されるものである。
【００６０】
液晶ドライバ１００は、出力データ算出回路１０５、表示データ処理回路１０６、液晶コントローラ１０７、システム入出力インターフェース１１０、グラフィックメモリ１１１、タイミング制御回路１１２の内部ブロックを含んでいる。
【００６１】
表示データ処理回路１０６のブロックは、ヒストグラム計数回路１０１、特定色輝度ヒストグラム計数回路１０２、加重回路１０３、加算器１０４、特定色レジスタ１０８、データ変換用加重レジスタ１０９を含んでいる。更に、液晶ドライバ１００の外部には、中央処理ユニット１０、表示メモリ１１、液晶表示パネル１２が接続されている。
【００６２】
このように内部ブロック１０５〜１０７、１１０〜１１２を含んだ液晶ドライバ１００は、半導体集積回路(ＬＳＩ：Large Scale Integrated circuit)としてシリコンチップ上に集積化されて、液晶表示パネル１２の駆動と制御とを行うものである。
【００６３】
図１に示すように、液晶ドライバ１００のシステム入出力インターフェース１１０は外部の中央処理ユニット１０と接続され、液晶ドライバ１００内部のコントロールデータとグラフィックメモリ１１１への表示データとタイミング制御回路１１２へのタイミング信号とを中央処理ユニット１０から受信する。
【００６４】
まず、中央処理ユニット１０は表示データと制御データとタイミング信号を生成して、表示データと制御データとタイミング信号とは中央処理ユニット１０から液晶ドライバ１００のシステム入出力インターフェース１１０に転送される。制御データはシステム入出力インターフェース１１０から液晶ドライバ１００内部に転送され、表示データはシステム入出力インターフェース１１０からグラフィックメモリ１１１に転送される。タイミング信号は、システム入出力インターフェース１１０からタイミング制御回路１１２に転送される。
【００６５】
特定色輝度ヒストグラム計数回路１０２は、特定色レジスタ１０８に事前に格納された特定色認識情報に従って第２ヒストグラムを作成する。この第２ヒストグラムは、特定色レジスタ１０８に事前に格納された特定色認識情報に従ってグラフィックメモリ１１１からの画像入力データに含まれる特定色の輝度レベルに対するヒストグラムとなっている。すなわち、この輝度レベルヒストグラムでは、特定色の各輝度レベルに対するピクセル数(画素数)が計数されている。また、特定色は、例えば、人目につき易い肌色である。
【００６６】
一方、ベースのヒストグラム計数回路１０１は、背景画像の輝度レベルを抽出するためにグラフィックメモリ１１１からの１枚の画像フレームの全画像入力データのピクセル数(画素数)の輝度レベルに対する第１ヒストグラムを作成する。この第１ヒストグラムでは、主として背景画像の各輝度レベルに対するピクセル数(画素数)が計数されている。
【００６７】
また、データ変換用加重レジスタ１０９には、加重回路１０３で実行される加重処理に使用される一定加重倍率Ａが格納されている。従って、加重回路１０３は、データ変換用加重レジスタ１０９から供給される一定加重倍率Ａを用いて特定色輝度ヒストグラム計数回路１０２からの第２ヒストグラムのデータに対しての加重計算を実行する。また、加重回路１０３における第２ヒストグラムのデータに対しての加重計算では、可変加重倍率Ｋも使用される。可変加重倍率Ｋの値は特定色の輝度レベルに応答して変化するもので、特定色の輝度レベルが低い場合には可変加重倍率Ｋの値は大きく、特定色の輝度レベルが増加すると可変加重倍率Ｋの値は低下する。
【００６８】
加重回路１０３で一定加重倍率Ａと可変加重倍率Ｋを使用して加重処理された特定色の第２ヒストグラムとベースのヒストグラム計数回路１０１で処理されたベースの第１ヒストグラムとは、加算器１０４で加算される。従って、加算器１０４の出力からは表示データ処理回路１０６の出力としての合成ヒストグラムが生成されて、出力データ算出回路１０５に供給される。出力データ算出回路１０５は加算器１０４から供給される合成ヒストグラムに従ってγ(ガンマ)値を決定して、このγ値を使用してグラフィックメモリ１１１から読み出された画像入力データ(ＲＧＢ)のガンマ補正が実行される。出力データ算出回路１０５によってガンマ補正された画像出力データ(ＲＧＢ)は、液晶コントローラ１０７に供給される。
【００６９】
液晶コントローラ１０７で、画像出力データ(ＲＧＢ)は内部のソース線駆動回路に供給される。画像出力データに応答してソース線駆動回路は、液晶表示パネル１２に供給される液晶ソース駆動信号を生成する。階調電圧生成回路から生成される階調電圧は、ソース線駆動回路に供給される。液晶駆動レベル発生回路は、液晶表示パネル１２に供給される液晶ゲート駆動信号・コモン駆動信号を生成する。
【００７０】
液晶表示パネル１２は、低温ポリシリコンＴＦＴカラー液晶で構成されて、薄型、軽量、低消費電力のＴＦＴ(薄膜トランジスタ)液晶のアクティブマトリックス型である。ＴＦＴは液晶表示パネル１２のガラス表面に低温ポリシリコンの堆積で形成されるので、液晶表示パネル１２は低温ポリシリコン(ＬＴＰＳ)ＴＦＴカラー液晶と呼ばれている。尚、ＬＴＰＳは、Low Temperature Poly-Siliconの略である。
【００７１】
アクティブマトリックス型の液晶表示パネル１２では、信号電極線(ソース線)と走査電極線(ゲート線)との交差点にＴＦＴスイッチング素子と蓄積容量と液晶セルとが配置される。液晶表示パネル１２の複数の液晶セルの一端は複数のＴＦＴスイッチング素子のドレイン電極に接続され、複数の液晶セルの他端はコモン電極に接続される。コモン電極には、液晶の分極を防止するために周期的に極性反転されるコモン駆動信号が液晶駆動レベル発生回路から供給される。液晶表示パネル１２の水平方向の複数の信号電極線(ソース線)はソース線駆動回路の複数の液晶ソース駆動信号によって駆動され、液晶表示パネル１２の垂直方向の複数の走査電極線(ゲート線)は液晶駆動レベル発生回路の液晶ゲート駆動信号によって駆動される。
【００７２】
《表示データ処理回路の構成》
図２は、図１に示した本発明の実施の形態による液晶ドライバ１００に含まれる表示データ処理回路１０６の構成を示す図である。図２に示すように表示データ処理回路１０６の特定色輝度ヒストグラム計数回路１０２は、特定色検出回路１０２Ａとヒストグラム計数回路１０２Ｂとによって構成されている。
【００７３】
まず、グラフィックメモリ１１１からタイミング制御回路１１２を介して読み出された画像入力データ(ＲＧＢ)は、表示データ処理回路１０６の特定色検出回路１０２Ａの一方の入力端子に供給される。一方、特定色レジスタ１０８には、エンハンス処理により増強される特定の色相(例えば、肌色)を設定するための設定情報が事前に格納されている。増強される特定の色相が、例えば、肌色であるならば、色の三原色で青(Ｂ)の１の信号レベルに対して、赤(Ｒ)の信号レベルが１．３〜１．７、緑(Ｒ)の信号レベルが１．１〜１．３である画像入力データが肌色として認識される必要がある。この三原色の認識情報が、特定色レジスタ１０８に事前に格納されている。特定色レジスタ１０８に格納された特定色認識情報は、特定色検出回路１０２Ａの他方の入力端子に供給される。従って、特定色検出回路１０２Ａは一方の入力端子に供給される画像入力データに含まれる特定色のピクセル(画素)を抽出して、抽出したピクセルをヒストグラム計数回路１０２Ｂに供給する。ヒストグラム計数回路１０２Ｂは特定色の輝度レベルヒストグラムを作成して、この第２ヒストグラムでは図２に示すように特定色の各輝度レベルｉにおける特定色のピクセル数(画素数)ｙ１［ｉ］が計数されている。
【００７４】
特定色輝度ヒストグラム計数回路１０２のヒストグラム計数回路１０２Ｂで生成された特定色の第２ヒストグラムは、加重回路１０３に供給される。加重回路１０３は、データ変換用加重レジスタ１０９からの一定加重倍率Ａを用いて特定色輝度ヒストグラム計数回路１０２からの第２ヒストグラムのデータに対しての加重計算を実行する。また、加重回路１０３における第２ヒストグラムのデータに対しての加重計算では、可変加重倍率Ｋも使用される。可変加重倍率Ｋの値は特定色の輝度レベルに応答して変化するもので、特定色の輝度レベルが低い場合には可変加重倍率Ｋの値は大きく、特定色の輝度レベルが増加すると可変加重倍率Ｋの値は低下する。例えば、加重回路１０３は特定色の各輝度レベルに対応する個々の可変加重倍率Ｋを格納するルックアップテーブル(ＬＵＴ)を含むものであり、特定色の輝度レベルに応答してＬＵＴから読み出された可変加重倍率Ｋを使用して加重計算が実行される。
【００７５】
図２に示すように、特定色輝度ヒストグラム計数回路１０２と同様に、画像入力データ(ＲＧＢ)がベースのヒストグラム計数回路１０１に供給される。従って、ヒストグラム計数回路１０１は、画像入力データの各輝度に対するピクセル数(画素数)を計数する。その結果、図２のベースのヒストグラム計数回路１０１中の第１ヒストグラムに示すように、第１ヒストグラムでは、主として背景画像の各輝度レベルに対するピクセル数(画素数)が計数されている。図２の加重回路１０３中の第２ヒストグラムに示すように、第２ヒストグラムでは、データ変換用加重レジスタ１０９から供給される一定加重倍率Ａと可変加重倍率Ｋとを用いた加重計算が実行される。特に、可変加重倍率Ｋの値は特定色の輝度レベルに応答して変化するもので、特定色の輝度レベルが低い場合には可変加重倍率Ｋの値は大きく、特定色の輝度レベルが増加すると可変加重倍率Ｋの値は低下する。
【００７６】
従って、図２の加算器１０４の出力の合成ヒストグラムに示すように、斜線で示された高輝度信号レベルの背景画像の画素数と比較して黒で示された低輝度信号レベルの特定色の画素数がエンハンス処理によって増強されることができる。
【００７７】
《特定色のエンハンス処理》
図３は、図２に示した本発明の実施の形態による表示データ処理回路１０６で実行される特定色のエンハンス処理の動作を説明する図である。
【００７８】
図３(Ａ)の上には、特定色の輝度レベルが低い場合の特定色輝度ヒストグラム計数回路１０２からの第２ヒストグラムの特定色の各輝度レベルに対するピクセル数(画素数)の分布３０１が、斜線で示されている。図３(Ａ)の上には、特定色の輝度レベルが低い場合の加重回路１０３で一定加重倍率Ａと可変加重倍率Ｋを使用して加重処理された後の特定色の各輝度レベルに対するピクセル数(画素数)の分布３０２が、黒にて示されている。このように図３(Ａ)の場合には特定色の輝度レベルが低いので、可変加重倍率Ｋは大きな値に設定されている。従って、図３(Ａ)の場合には、図２の加算器１０４の合成ヒストグラムに示したように、高輝度信号レベルの背景画像の画素数と比較して、低輝度信号レベルの特定色の画素数がエンハンス処理によって増強されることができる。図１に示すように加算器１０４の合成ヒストグラムは出力データ算出回路１０５に供給され、出力データ算出回路１０５はこの合成ヒストグラムに従ってγ(ガンマ)値を決定する。出力データ算出回路１０５は、このγ値を使用してグラフィックメモリ１１１から読み出された画像入力データ(ＲＧＢ)のガンマ補正が実行される。すなわち、出力データ算出回路１０５での入力階調から出力階調へのガンマ補正特性は、加算器１０４の合成ヒストグラムの総画素数によって決定される。
【００７９】
従って、図３(Ａ)の下に示すように、特定色の輝度レベルが低い場合の出力データ算出回路１０５の入力階調と出力階調とのガンマ補正特性は、特性３０３から特性３０４へ変化する。尚、特性３０４は、特定色の輝度レベルが高い場合の出力データ算出回路１０５の入力階調と出力階調とのガンマ補正特性を示すものである。
【００８０】
これによって、特定色の輝度レベルが低い図３(Ａ)の場合には、低入力階調ａ、ｂを持った特定色の画像入力信号に応答する出力データ算出回路１０５の特定色の画像出力信号の階調および輝度を増加することができる。従って、低階調と中階調の特定色の画素のコントラストを向上することができる。
【００８１】
図３(Ｂ)の上には、特定色の輝度レベルが高い場合の特定色輝度ヒストグラム計数回路１０２からの第２ヒストグラムの特定色の各輝度レベルに対するピクセル数(画素数)の分布３０５が、斜線で示されている。図３(Ｂ)の上には、特定色の輝度レベルが高い場合の加重回路１０３で一定加重倍率Ａと可変加重倍率Ｋを使用して加重処理された後の特定色の各輝度レベルに対するピクセル数(画素数)の分布３０６が、黒にて示されている。このように図３(Ｂ)の場合には特定色の輝度レベルが高いので、可変加重倍率Ｋは小さな値に設定されている。従って、図３(Ｂ)の場合には、図２の加算器１０４の合成ヒストグラムでは、高輝度信号レベルの背景画像の画素数と比較して高輝度信号レベルの特定色の画素数がエンハンス処理によってそれ程は増強されることがでない。図１に示す出力データ算出回路１０５の入力階調から出力階調へのガンマ補正特性は、加算器１０４の合成ヒストグラムの総画素数によって決定される。
【００８２】
従って、図３(Ｂ)の下に示すように、特定色の輝度レベルが高い場合の出力データ算出回路１０５の入力階調と出力階調とのガンマ補正特性は、特性３０７から特性３０８へ変化する。尚、特性３０７は、特定色の輝度レベルが低い場合の出力データ算出回路１０５の入力階調と出力階調とのガンマ補正特性を示すものである。
【００８３】
これによって、特定色の輝度レベルが高い図３(Ｂ)の場合には、高入力階調ａ、ｂを持った特定色の画像入力信号に応答する出力データ算出回路１０５の特定色の画像出力信号の階調および輝度を減少することができる。従って、図１、図２、図３で説明した本発明の実施の形態によれば、従来のように高階調の特定色の画素の輝度を高くすることによって相対的に低階調と中階調の特定色の画素の輝度が低下すると言う問題を解消することができる。
【００８４】
尚、図３(Ｃ)は、加重回路１０３での第２ヒストグラムのデータの加重計算で使用される可変加重倍率Ｋと特定色の輝度レベルとの関係を示す図である。可変加重倍率Ｋの値は特定色の輝度レベルに応答して変化するもので、特定色の輝度レベルが低い場合には可変加重倍率Ｋの値は大きく、特定色の輝度レベルが増加すると可変加重倍率Ｋの値は低下する。
【００８５】
《液晶表示パネルとバックライトとを駆動する液晶ドライバ》
図４は、本発明の他の実施の形態に従って液晶表示パネル１２とバックライト１３とを駆動する液晶ドライバ１００の構成を示す図である。
【００８６】
近年の液晶ディスプレイは、ほとんどがバックライトを必要とする透過型もしく半透過型のものである。このバックライトには、低消費電力で、耐用年数が長く、小型・軽量化が容易であるという理由から、白色ＬＥＤが使用されている。白色ＬＥＤの最も一般的な構造としては、青色に発光する半導体発光ダイオード(ＬＥＤ；Light Emitting Diode)と青色の光が照射されると黄色を発光する蛍光体とを組合せたものが製品化され、主に携帯電話のバックライト用として生産されている。
【００８７】
図４に示す液晶表示装置では、バックライト１３の光源には上述した複数の白色ＬＥＤが利用され、バックライト１３は内蔵電源を含んでいる。バックライト１３の内蔵電源は複数の白色ＬＥＤに駆動電流として順方向電流を供給して、バックライト１３の発光輝度は白色ＬＥＤに駆動電流によって制御される。
【００８８】
図４の液晶ドライバ１００で液晶表示パネル１２を駆動するために、図１の液晶ドライバ１００と同様に、表示データ処理回路１０６のブロックは、ヒストグラム計数回路１０１、特定色輝度ヒストグラム計数回路１０２、加重回路１０３、加算器１０４、特定色レジスタ１０８、データ変換用加重レジスタ１０９を含んでいる。さらに、図４の液晶ドライバ１００は、図１の液晶ドライバ１００のデータ算出回路１０５に対応するデータ伸張回路４０６を含んでいる。従って、図４の液晶ドライバ１００は、図１の液晶ドライバ１００と同様に、特定色の輝度レベルが低い場合にはデータ伸張回路４０６の特定色の画像出力信号の階調および輝度を増加できる一方、特定色の輝度レベルが高い場合にはデータ伸張回路４０６の特定色の画像出力信号の階調および輝度を減少することができる。
【００８９】
図４の液晶ドライバ１００は液晶表示パネル１２に加えてバックライト１３を駆動するために、図１の液晶ドライバ１００と比較すると、表示データ処理回路１０６にはバックライト制御用加重レジスタ４０１、加重回路４０２、加算器４０３、係数演算回路４０４、バックライトコントローラ４０５が追加されている。
【００９０】
また、バックライト制御用加重レジスタ４０１には、加重回路４０２で実行される加重処理に使用される一定加重倍率Ｂが格納されている。従って、加重回路４０２は、バックライト制御用加重レジスタ４０１から供給される一定加重倍率Ｂを用いて特定色輝度ヒストグラム計数回路１０２からの第２ヒストグラムのデータに対しての加重計算を実行する。また、加重回路４０２における第２ヒストグラムのデータに対しての加重計算では、可変加重倍率Ｌも使用される。可変加重倍率Ｌの値は特定色の輝度レベルに応答して変化するもので、特定色の輝度レベルが低い場合には可変加重倍率Ｌの値は小さく、特定色の輝度レベルが増加すると可変加重倍率Ｌの値は増加する。例えば、加重回路４０２は特定色の各輝度レベルに対応する個々の可変加重倍率Ｋを格納するルックアップテーブル(ＬＵＴ)を含むものであり、特定色の輝度レベルに応答してＬＵＴから読み出された可変加重倍率Ｌを使用して加重計算が実行される。
【００９１】
加重回路４０２で一定加重倍率Ｂと可変加重倍率Ｌを使用して加重処理された特定色の第３ヒストグラムとベースの背景ヒストグラム計数回路１０１で処理されたベースの第１ヒストグラムとは、加算器４０３で加算される。従って、加算器４０３の出力からバックライト合成ヒストグラムが生成されて、係数演算回路４０４に供給される。係数演算回路４０４は加算器４０３の出力からバックライト合成ヒストグラムに所定の係数を乗算して、乗算処理結果をバックライトコントローラ４０５に供給する。従って、バックライトコントローラ４０５は加算器４０３からの処理結果に応答してバックライト１３の駆動電流を制御する。バックライト１３の駆動電流および発光輝度は、係数演算回路４０４の乗算処理結果に含まれる特定色の画素と背景色の画素との総ピクセル数(画素数)に比例するように設定される。
【００９２】
図５は、図４に示した本発明の他の実施の形態による液晶ドライバ１００の表示データ処理回路１０６の加重回路４０２で実行される特定色の加重処理の動作を説明する図である。
【００９３】
図５(Ａ)の上には、特定色の輝度レベルが低い場合の特定色輝度ヒストグラム計数回路１０２からの第２ヒストグラムの特定色の各輝度レベルに対するピクセル数(画素数)の分布５０１が、斜線で示されている。図５(Ａ)の上には、特定色の輝度レベルが低い場合の加重回路４０２で一定加重倍率Ｂと可変加重倍率Ｌを使用して加重処理された後の特定色の各輝度レベルに対するピクセル数(画素数)の分布５０２が、黒にて示されている。このように図５(Ａ)の場合には特定色の輝度レベルが低いので、可変加重倍率Ｌは小さな値に設定されている。
【００９４】
従って、図５(Ａ)の場合には、低輝度信号レベルの特定色の画素数が小さな値の可変加重倍率Ｌによる加重処理によってわずかだけ増強される。その結果、係数演算回路４０４の乗算処理結果に含まれる特定色の画素と背景色の画素が低輝度信号レベルの場合には、バックライト１３の駆動電流および発光輝度が小さくなる。従って、液晶表示パネル１２に表示される画像データが暗いイメージの場合には、バックライト１３の発光輝度が低下されることによって消費電力の低減が可能となる。
【００９５】
図５(Ｂ)の上には、特定色の輝度レベルが高い場合の特定色輝度ヒストグラム計数回路１０２からの第２ヒストグラムの特定色の各輝度レベルに対するピクセル数(画素数)の分布５０３が、斜線で示されている。図５(Ｂ)の上には、特定色の輝度レベルが高い場合の加重回路４０２で一定加重倍率Ｂと可変加重倍率Ｌを使用して加重処理された後の特定色の各輝度レベルに対するピクセル数(画素数)の分布５０４が、黒にて示されている。このように図５(Ｂ)の場合には特定色の輝度レベルが高いので、可変加重倍率Ｌは大きな値に設定されている。
【００９６】
従って、図５(Ｂ)の場合には、比較的高い輝度信号レベルの特定色の画素数が大きな値の可変加重倍率Ｌによる加重処理によって強力に増強される。その結果、係数演算回路４０４の乗算処理結果に含まれる特定色の画素と背景色の画素が比較的高い輝度信号レベルの場合には、バックライト１３の駆動電流および発光輝度が大きくなる。従って、液晶表示パネル１２に表示される画像データが比較的明るいイメージの場合には、バックライト１３の発光輝度が増加されることによって液晶表示パネル１２に表示される画像データの輝度を増加することが可能となる。
【００９７】
尚、図５(Ｃ)は、加重回路４０２での第３ヒストグラムのデータの加重計算で使用される可変加重倍率Ｌと特定色の輝度レベルとの関係を示す図である。可変加重倍率Ｌの値は特定色の輝度レベルに応答して変化するもので、特定色の輝度レベルが低い場合には可変加重倍率Ｌの値は小さく、特定色の輝度レベルが増加すると可変加重倍率Ｋの値は増加する。
【００９８】
一方、図４に示す本発明の他の実施の形態による液晶ドライバ１００の係数演算回路４０４では、加算器４０３の出力からバックライト合成ヒストグラムからデータ伸張回路４０６に供給するスレッシュホールド階調レベルＤthを生成する。
【００９９】
ところで、図４に示す液晶ドライバ１００では、表示データ処理回路１０６のバックライト制御用加重レジスタ４０１、加重回路４０２、加算器４０３、係数演算回路４０４、バックライトコントローラ４０５の機能によって、液晶表示パネル１２の表示画像データが暗いイメージの場合には、バックライト１３の発光輝度が低下され消費電力が低減される。しかし、表示画像データが暗いイメージの場合に単純にバックライト１３を減光すると表示画像が暗くなってしまうため、データ伸張回路４０６は低輝度の表示画像データのエンハンス処理を行い液晶表示パネル１２の表示画像のコントラストを改善する。データ伸張回路４０６での表示画像データのエンハンス処理は、入力階調と出力階調とのガンマ補正特性、すなわちγ(ガンマ)値を変更することによって可能である。しかし、表示画像データが極めて明るいイメージの場合にもエンハンス処理を行うと、冒頭で説明した「白つぶれ」が発生して、高階調の画素の模様が判別されなくなってしまう。
【０１００】
従って、図４に示す液晶ドライバ１００では、データ伸張回路４０６は係数演算回路４０４から供給するスレッシュホールド階調レベルＤthを使用して、スレッシュホールド階調レベルＤthより高輝度の表示画像データに対するエンハンス処理の伸張係数を低下して、「白つぶれ」の発生を解消する。また、データ伸張回路４０６は、スレッシュホールド階調レベルＤthより低輝度の表示画像データに対するエンハンス処理の伸張係数を増加して、液晶表示パネル１２の表示画像のコントラストを改善する。データ伸張回路４０６でのエンハンス処理は、図１に示す液晶ドライバ１００と同様に、表示データ処理回路１０６に含まれた背景ヒストグラム計数回路１０１、特定色輝度ヒストグラム計数回路１０２、加重回路１０３、加算器１０４、特定色レジスタ１０８、データ変換用加重レジスタ１０９によって制御される。
【０１０１】
図４に示す液晶ドライバ１００では、係数演算回路４０４は加算器４０３の出力からのバックライト合成ヒストグラムに含まれる表示画像データの輝度の分布に従ってスレッシュホールド階調レベルＤthを決定する。すなわち、上記特許文献１に記載のように、係数演算回路４０４は表示画像の階調のヒストグラムにおいて輝度データの最大値側からの出現頻度が所定の値となる輝度値を計算して、この輝度値をスレッシュホールド階調レベルＤthに設定する。すなわち、係数演算回路４０４は、加算器４０３の出力からバックライト合成ヒストグラムに含まれる表示画像データの輝度の分布からデータ伸張回路４０６に供給するスレッシュホールド階調レベルＤthを生成する。
【０１０２】
図６は、図４に示す液晶ドライバ１００の表示データ処理回路１０６に含まれた加算器４０３の出力からのバックライト合成ヒストグラムとスレッシュホールド階調レベルＤthとの関係を示す図である。
【０１０３】
すなわち、係数演算回路４０４は、図６に示すバックライト合成ヒストグラムの輝度データの最大階調値２５５から出現頻度Ｘパーセントとなる輝度値をスレッシュホールド階調レベルＤthに設定している。図６の例では、スレッシュホールド階調レベルＤthは高輝度側に分布する表示画像データ輝度ａと輝度ｂとの間に位置している。
【０１０４】
図７は、図４に示す液晶ドライバ１００のデータ伸張回路４０６にて実行される表示画像データのエンハンス処理の様子を示す図である。
【０１０５】
図７(Ａ)は、表示データ処理回路１０６に含まれた加算器１０４の出力からの合成ヒストグラムが示されている。図７(Ａ)に示す合成ヒストグラムは、図６に示すバックライト合成ヒストグラムと同様に低輝度と中間輝度を持つ画素の第１の分布と高輝度を持つ画素の第２の分布とを含んでいるが、図７(Ａ)では高輝度を持つ画素の第２の分布の画素ピーク値は図６よりも小さくなっている。図６に示すバックライト合成ヒストグラムではスレッシュホールド階調レベルＤthは高輝度を持つ画素の第２の分布に位置しているが、図７(Ａ)に示す合成ヒストグラムではスレッシュホールド階調レベルＤthは低輝度と中間輝度を持つ画素の第１の分布に位置している。
【０１０６】
図７(Ｂ)に示すように、データ伸張回路４０６によるスレッシュホールド階調レベルＤthより低輝度Ｐの表示画像データに対するエンハンス処理の伸張係数αは大きな値(α＞１)となるような入力階調と出力階調とのガンマ補正特性７０１となっている。尚、伸張係数αは、α＝２５５／Ｄthにて与えられる。しかし、スレッシュホールド階調レベルＤthより高輝度Ｐの表示画像データに対するエンハンス処理の伸張係数αは、１よりも小さな値(α＜１)とされるようなガンマ補正特性７０１となっている。
【０１０７】
図７(Ｃ)は、図７(Ｂ)に示すガンマ補正特性７０１においてスレッシュホールド階調レベルＤthよりも高輝度の部分を拡大した図である。データ伸張回路４０６によるエンハンス処理においては曲線によるガンマ補正特性７０１は演算量が多く演算時間も長くなるので、データ伸張回路４０６によるエンハンス処理では近似直線によるガンマ補正特性７０２が使用されている。曲線によるガンマ補正特性７０１の凹部が、近似直線によるガンマ補正特性７０２の直線によって補間されている。
【０１０８】
《他の実施の形態》
図８は、本発明の他の実施の形態に従って、図４に示す液晶ドライバ１００のデータ伸張回路４０６にて実行される特定色を持った表示画像データのエンハンス処理の様子を示す図である。
【０１０９】
図８(Ａ)に示すように、データ伸張回路４０６によるスレッシュホールド階調レベルＤthより低輝度の特定色を持った表示画像データに対するエンハンス処理の伸張係数は図７(Ｂ)に示す伸張係数よりも大きな値となるような入力階調と出力階調とのガンマ補正特性８０１となっている。
【０１１０】
図８(Ｂ)に示すように、特定色を持った表示画像データはスレッシュホールド階調レベルＤthよりも高輝度側に輝度ａと輝度ｂとの間に分布するように位置している。この輝度ａと輝度ｂとの間に分布する高輝度を持つ特定色の表示画像データに対するエンハンス処理の伸張係数はガンマ補正特性８０１の曲線のように比較的小さな値とされる。従って、スレッシュホールド階調レベルＤthよりも高輝度側のエンハンス処理の伸張係数の減少によって、特定色を持った表示画像データの「白つぶれ」を解消することができる。また、本発明の他の実施の形態では、曲線のガンマ補正特性８０１の凹部を近似直線によるガンマ補正特性８０２の直線によって補間することもできる。
【０１１１】
図９は、本発明の他の実施の形態によって携帯電話の液晶表示パネルに表示画像データが表示される様子を示す図である。
【０１１２】
図９に示す液晶表示パネルに表示画像データには、肌色を特定色とする人物の顔の表示画像データ９０２と、それ以外の背景の表示画像データ９０１とが含まれている。
【０１１３】
顔の表示画像データ９０２に関して、図８(Ａ)のように低輝度の特定色の表示画像データに対しては比較的に大きな伸張係数によるエンハンス処理を行って人目につき易い人物の顔の表示画像データ９０２の階調および輝度を増加させる。しかし、高輝度の顔の表示画像データ９０２に対しては、図８(Ａ)のように比較的に小さな伸張係数のエンハンス処理を行い「白つぶれ」を解消するものである。
【０１１４】
また、背景の表示画像データ９０１に関して、図４に示したように画像データが暗い時にはバックライトの発光輝度を低下して低消費電力化する一方、図７のようにエンハンス処理を行い暗い画像のコントラストを改善する。また、背景の表示画像データ９０１に関して、図４に示したように画像データが明るい時にはバックライトの発光輝度を増加してコントラストを改善する一方、画像データが極めて明るい時にはエンハンス処理の伸張係数を減少させて「白つぶれ」を解消するものである。
【０１１５】
以上、本発明者によってなされた発明を実施形態に基づいて具体的に説明したが、本発明はそれに限定されるものではなく、その要旨を逸脱しない範囲において種々変更可能であることは言うまでもない。
【０１１６】
例えば、液晶ドライバの利用範囲は携帯電話のみならず、液晶ディスプレイを搭載したＤＶＤプレーヤー等のバッテリー動作の小型メディアプレーヤーにも適用することができる。
【図面の簡単な説明】
【０１１７】
【図１】図１は、本発明の実施の形態による液晶ドライバの構成を示す図である。
【図２】図２は、図１に示した本発明の実施の形態による液晶ドライバに含まれる表示データ処理回路の構成を示す図である。
【図３】図３は、図２に示した本発明の実施の形態による表示データ処理回路で実行される特定色のエンハンス処理の動作を説明する図である。
【図４】図４は、本発明の他の実施の形態に従って液晶表示パネルとバックライトとを駆動する液晶ドライバの構成を示す図である。
【図５】図５は、図４に示した本発明の他の実施の形態による液晶ドライバの表示データ処理回路の加重回路で実行される特定色の加重処理の動作を説明する図である。
【図６】図６は、図４に示す液晶ドライバの表示データ処理回路に含まれた加算器の出力からのバックライト合成ヒストグラムとスレッシュホールド階調レベルとの関係を示す図である。
【図７】図７は、図４に示す液晶ドライバのデータ伸張回路にて実行される表示画像データのエンハンス処理の様子を示す図である。
【図８】図８は、本発明の他の実施の形態に従って、図４に示す液晶ドライバのデータ伸張回路にて実行される特定色を持った表示画像データのエンハンス処理の様子を示す図である
【図９】図９は、本発明の他の実施の形態によって携帯電話の液晶表示パネルに表示画像データが表示される様子を示す図である。
【符号の説明】
【０１１８】
１０  中央処理ユニット
１１  表示メモリ
１００  液晶ドライバ
１１０  システム入出力インターフェース
１１１  グラフィックメモリ
１１２  タイミング制御回路
１０６  表示データ処理回路
１０１  ヒストグラム計数回路
１０８  特定色レジスタ
１０２  特定色輝度ヒストグラム計数回路
１０３  加重回路
１０４  加算器
１０５  出力データ算出回路
１２  液晶表示パネル
４０１  バックライト制御用加重レジスタ
４０２  加重回路
４０３  加算器
４０４  係数ん算回路
４０５  バックライトコントローラ
４０６  データ伸張回路
１３  バックライト
【図１】
2009294338.tif 000003
【図２】
2009294338.tif 000004
【図３】
2009294338.tif 000005
【図４】
2009294338.tif 000006
【図５】
2009294338.tif 000007
【図６】
2009294338.tif 000008
【図７】
2009294338.tif 000009
【図８】
2009294338.tif 000010
【図９】
2009294338.tif 000011